(57)【特許請求の範囲】
【請求項１】
無端状に連結された複数の踏板と、前記踏板の両側に立設して配置された欄干と、前記欄干の周縁に沿って前記踏板と同期して移動する無端状の移動手摺と、前記踏板の移動方向に沿って配設された照明装置を備えた乗客コンベアにおいて、
前記照明装置は、蛍光ランプの両端の蛍光ランプ用口金に接続可能な複数組の一対のソケットと、複数組の一対の前記ソケットと接続された直流電源とを備え、
一対の前記ソケットの間には、前記蛍光ランプに代えてＬＥＤ素子を光源とする棒状のＬＥＤランプが配置されていると共に、一対の前記ソケットには、前記ＬＥＤランプの両端に設けられ、前記ソケットに保持されるＬＥＤランプ用保持部が接続され、前記ＬＥＤランプ用保持部から前記ＬＥＤ素子に電力が供給されると共に、
前記ＬＥＤランプの前記ＬＥＤランプ用保持部は、前記ＬＥＤ素子の発光方向を示す発光方向指示部を備えているか、或いは前記ＬＥＤランプの前記ＬＥＤランプ用保持部は、前記直流電源の極性を示す表示指示部を備えていることを特徴とする乗客コンベア。
【請求項２】
請求項１に記載の乗客コンベアにおいて、
前記ソケットと前記直流電源とを接続する照明用配線は、前記蛍光ランプに電力を供給する照明用配線であることを特徴とする乗客コンベア。
【請求項３】
請求項１に記載の乗客コンベアにおいて、
前記ソケットと前記直流電源とを接続する照明用配線は、前記蛍光ランプに電力を供給する照明用配線に代えて、前記ＬＥＤランプと前記直流電源を接続するＬＥＤ照明用配線であることを特徴とする乗客コンベア。
【請求項４】
請求項１に記載の乗客コンベアにおいて、
前記ＬＥＤランプは、光透過性の管体と、前記管体の内部に配置され前記ＬＥＤ素子が載置された支持基板と、前記管体の両端に設けられ、前記ＬＥＤ素子と電気的に接続された接続端子を備える前記ＬＥＤランプ用保持部から構成されていることを特徴とする乗客コンベア。
【請求項５】
無端状に連結された複数の踏板と、前記踏板の両側に立設して配置された欄干と、前記欄干の周縁に沿って前記踏板と同期して移動する無端状の移動手摺と、前記踏板の移動方向に沿って配設された照明装置を備えた乗客コンベアにおいて、
前記照明装置は、蛍光ランプの両端の蛍光ランプ用口金に接続可能な複数組の一対のソケットを備え、
一対の前記ソケットの間には、前記蛍光ランプに代えてＬＥＤ素子を光源とする棒状のＬＥＤランプが配置されると共に、一対の前記ソケットには、前記ＬＥＤランプの両端に設けられ、前記ソケットに保持されるＬＥＤランプ用保持部が接続され、
前記ＬＥＤランプの前記ＬＥＤランプ用保持部は、前記ＬＥＤ素子の発光方向を示す発光方向指示部を備えているか、或いは前記ＬＥＤランプの前記ＬＥＤランプ用保持部は、直流電源の極性を示す表示指示部を備え、
前記ＬＥＤランプ用保持部には、前記ＬＥＤランプを構成する前記ＬＥＤ素子と接続された正極照明用配線及び負極照明用配線を引き出す引き出し部が設けられ、
引き出された前記正極照明用配線及び前記負極照明用配線は、隣接する他の前記ＬＥＤランプの前記正極照明用配線及び前記負極照明用配線と接続され、更に前記正極照明用配線及び前記負極照明用配線は直流電源部と接続されていることを特徴とする乗客コンベア。
【請求項６】
請求項５に記載の乗客コンベアにおいて、
前記ＬＥＤランプは、光透過性の管体と、前記管体の内部に配置され前記ＬＥＤ素子が載置された支持基板と、前記管体の両端に設けられ前記ソケットに接続される前記ＬＥＤランプ用保持部から構成されていることを特徴とする乗客コンベア。
【発明の詳細な説明】
【技術分野】
【０００１】
本発明は乗客コンベアに係り、特に照明装置を備えた乗客コンベア及びこの乗客コンベアの照明ランプ交換方法に関するものである。
【背景技術】
【０００２】
エスカレーター装置や電動道路等の乗客コンベアでは、利用者の手元や足下を照らして利用者の安全確保を行うために、踏板の移動方向に沿って照明装置が取り付けられている。この照明装置は、乗客コンベアの移動手摺部分やスカートガード部分などに配設されている。そして、このような照明装置では、光源として蛍光ランプが一般的に使用されているが、蛍光ランプではランプ切れが発生しやすいこと、省エネルギ化が図られないこと等の理由から、近年、光源にＬＥＤ素子（発光ダイオード）を備えたＬＥＤランプを使用する傾向にある。
【０００３】
ところで、既設の乗客コンベアの照明装置において、光源に使用されている蛍光ランプをＬＥＤランプに変更する場合、蛍光ランプとＬＥＤランプとの外観形状が異なるため、蛍光ランプを保持する既設のランプホルダを乗客コンベアから取り外し、ＬＥＤランプを取り付けるための新たなランプホルダを乗客コンベアに固定する必要がある。このため、光源を変更する作業が増えて煩雑となる問題がある。したがって、乗客コンベアの照明装置において、蛍光ランプからＬＥＤ素子を光源とするＬＥＤランプへ変更する交換作業を、短時間で容易に行うことができる乗客コンベアの照明装置が求められている。
【０００４】
蛍光ランプからＬＥＤランプへ変更するために、例えば特開２０１３−１５４９９８号公報（特許文献１）には次のような技術が開示されている。特許文献１には、ＬＥＤ素子を光源とする棒状のＬＥＤランプの途中に、断面が蛍光ランプと同じような円形状のアダプタを装着、固定し、このアダプタを欄干に固定された既設のランプホルダに係着することで、蛍光ランプをＬＥＤランプに交換することが記載されている。これによれば、乗客コンベアの既設の照明装置において、ランプホルダがそのまま流用できるので、蛍光ランプからＬＥＤランプへ変更する作業を容易に行うことができるようになる。
【先行技術文献】
【特許文献】
【０００５】
【特許文献１】特開２０１３−１５４９９８号公報
【発明の概要】
【発明が解決しようとする課題】
【０００６】
ところで、蛍光ランプは一般的には交流電力で使用されるが、ＬＥＤランプは直流電力で使用されるものである。このため、交流電源から蛍光ランプに至るまでの電力供給系統の構成部品と、直流電源からＬＥＤランプに至るまでの電力供給系統の構成部品とが異なる場合がある。したがって、蛍光ランプからＬＥＤランプに交換する場合には、この電力供給系統の構成部品も交換する必要がある。このため、電力供給系統の構成部品を交換する作業が煩雑となり、できるだけ電力供給系統の構成部品も互換性を持たせることが求められている。
【０００７】
尚、特許文献１においては、蛍光ランプをＬＥＤランプに交換する場合における、互換性のあるＬＥＤランプの保持構造について開示しているが、ＬＥＤランプに電力を供給する電力供給系統については何ら開示するものではない。
【０００８】
本発明の目的は、蛍光ランプをＬＥＤランプに交換する場合に、できるだけ電力供給系統の構成部品の互換性を高めてＬＥＤランプへの交換作業を短時間に容易に行うことができる新規な乗客コンベア及び乗客コンベアの照明ランプ交換方法を提供することにある。
【課題を解決するための手段】
【０００９】
本発明の特徴は、少なくともＬＥＤランプの両端に既設のソケットで保持できるＬＥＤランプ用保持部を設け、蛍光ランプ用口金が接続されていたソケットにＬＥＤランプ用保持部を接続して、蛍光ランプをＬＥＤランプに交換する、ところにある。
【発明の効果】
【００１０】
本発明によれば、既設のソケットをそのまま流用することでソケットの交換作業を省略することができる。これによって、電力供給系統の構成部品の互換性を高めて、照明ランプを交換する交換作業を短時間に容易に行うことができるようになる。
【図面の簡単な説明】
【００１１】
【図１】乗客コンベアの一例としてのエスカレーター装置の概略構成図である。
【図２】図１に示したエスカレーター装置のＡ−Ａ断面を示す断面図である。
【図３】本発明の第１の実施形態になるＬＥＤランプの構成図である。
【図４】図３に示したＬＥＤランプのＢ−Ｂ断面を示す断面図である。
【図５】欄干の直線部でＬＥＤランプを交換した後の状態を示す説明図である。
【図６】図５の一部を拡大した拡大断面図である。
【図７】欄干の曲面形状部でＬＥＤランプを交換した後の状態を示す説明図である。
【図８】図７の一部を拡大した拡大断面図である。
【図９】蛍光ランプをＬＥＤランプに交換する手順を示すチャート図である。
【図１０】本発明の第２の実施形態になる欄干の直線部でＬＥＤランプを交換した後の状態を示す説明図である。
【図１１】図１０に示したＬＥＤランプの要部拡大断面図である。
【発明を実施するための形態】
【００１２】
以下、本発明の実施形態について図面を用いて詳細に説明するが、本発明は以下の実施形態に限定されることなく、本発明の技術的な概念の中で種々の変形例や応用例をもその範囲に含むものである。
【実施例１】
【００１３】
図１は、照明装置を備えた乗客コンベアとしてのエスカレーター装置の概略の構成を示し、図２は照明装置が配置された部分の断面を示している。尚、図１、図２は照明ランプとして蛍光ランプを使用している状態を示している。
【００１４】
エスカレーター装置は、建物の上下階に跨って傾斜して設置され、無端状に連結された複数の踏板（図示せず）と、この踏板の両側に踏板の移動方向に沿って立設された一対の欄干１と、この欄干１の周縁を移動する移動手摺２とを備えている。欄干１の下部には、蛍光ランプを使用する時に蛍光ランプに電力を供給する、１００〜２２０Ｖの交流電源部３が配置され、交流電源部３における蛍光ランプ側には照明用配線４が接続されている。照明用配線４は、移動手摺２の下部に沿って配置され、この照明用配線４に並行して複数の蛍光ランプ５が配置されている。
【００１５】
尚、エスカレーター装置における特有の構成として、欄干１の上下端部では緩やかな曲面形状部Ｒとなっており、この曲面形状部Ｒでは、曲面に沿って形成された蛍光ランプ５Ａが使用されている。この曲線状の蛍光ランプ５Ａの間は、ほとんど直線的な形状の蛍光ランプ５が使用されている。
【００１６】
各蛍光ランプ５の間では、それぞれ照明用配線４との接続部Ｂが形成されており、各接続部Ｂの構成は同一である。図２は、移動手摺５の移動方向における接続部Ｂの位置をＡ−Ａ線に沿って断面した断面図である。
【００１７】
移動手摺２の下部には、相互に一体的に結合された上部フレーム６と下部フレーム７が配置されている。上部フレーム６の上方部には移動手摺２が長手方向に移動可能に案内される構成となっており、下部フレーム７は欄干１のパネル８に固定されている。
【００１８】
上部フレーム６内には複数本の照明用配線４が配置されている。一方、下部フレーム７内には、蛍光ランプ５と、その蛍光ランプ５の両端部で電気的な接続を行う一対のソケット９がそれぞれ設けられている。蛍光ランプ５は複数本配置されているので、一対のソケット９もこの本数に対応して複数組だけ設けられている。ソケット９内には、蛍光ランプ５の両端に固定された蛍光ランプ用口金に設けられた棒状の接続端子（２本端子、或いは１本端子）が挿入されて電気的な接続を行う、端子接続孔９Ａが形成されている。
【００１９】
尚、詳細な図示を省略しているが、照明用配線４は各ソケット９に対応する位置で下部フレーム７内に引き込まれ、ソケット９とこれに対応する照明用配線４が電気的に接続されている。したがって、蛍光ランプ５は、一対のソケット９の間で交換または取り外し可能となっている。また、下部フレーム７の下方部には、蛍光灯５ランプ５を交換するために、着脱可能な光透過性のカバー１０が取り付けられている。
【００２０】
上述した図１及び図２は、蛍光ランプ５を用いた照明装置の交換作業前の状態を示している。この状態から、蛍光ランプ５をＬＥＤランプに交換するわけであるが、本実施形態では、蛍光ランプ５の電力供給系統の構成部品のうち、ＬＥＤランプでは使用しないので取り外して良い構成部品と、ＬＥＤランプにも流用できるので再利用する構成部品とに区分している。
【００２１】
取り外す主な構成部品としては、図１に示した蛍光ランプ５に電力を供給する交流電源部３と蛍光ランプ５であり、流用する構成部品としては、照明用配線４と、照明用配線４に接続されたソケット９である。また新たに追加するものとしては、流用するソケット９に接続できる形状に構成したＬＥＤランプと、このＬＥＤランプの電源となる１２Ｖ又は２４Ｖの直流電源部である。
【００２２】
次に、蛍光ランプ５に置き換えられるＬＥＤランプの構成について説明する。図３はＬＥＤランプの全体構成を示し、図４は図３のＢ−Ｂ線の断面を示している。
【００２３】
ＬＥＤランプ１１では、蛍光ランプ５で使用していたガラス管と同じ形状と長さに製作された管体（以下、模擬管と表記する）１２内に、ＬＥＤ素子１３を載置した支持基板１４を配置している。支持基板１４は、蛍光ランプ５の長さとほぼ同じ長さを有した平板状に形成されており、複数のＬＥＤ素子１３はこれに沿って連続した点状に配置されている。各ＬＥＤ素子１３は直流電源の正極と負極に接続される構成である。
【００２４】
模擬管１２は、ガラス、合成樹脂等から構成され光透過性を有した円管であり、この円管内に、各ＬＥＤ素子１３が照明すべき方向に向けて取り付けられた支持基板１４が配置されている。したがって、図４にあるように、ＬＥＤ素子１３からの照明光ＢＳは模擬管１２を透過して外部に照射される。
【００２５】
模擬管１２の両端には金属、或いは合成樹脂で作られたＬＥＤランプ用保持部１５が形成されており、このＬＥＤランプ用保持部１５の先端には軸方向に沿って２本或いは１本の棒状の電力供給用の接続端子１６が植立、固定されている。接続端子１６は、図示しない配線によって支持基板１４に載置された各ＬＥＤ素子１３に接続され、後述する直流電源から電力を供給されるものである。
【００２６】
ＬＥＤランプ１１の接続端子１６を含むＬＥＤランプ用保持部１５は、蛍光ランプ５の接続端子を含む蛍光ランプ用口金とほぼ同じ形状に形成されており、蛍光ランプ５が接続される既設のソケット９の端子接続孔９Ａに差し込まれて、電力の供給を受けることが可能な構成となっている。
【００２７】
したがって、本実施形態になるＬＥＤランプ１１は、形状的には蛍光ランプ５の外観意匠と実質同様の形状であり、照明装置に使用されている既設の蛍光ランプ５の代わりに、ＬＥＤランプ１１を取り付けることが可能である。尚、図３、図４にあるようにＬＥＤランプ用保持部１５には突起１７が形成されているが、これの機能については後述する。
【００２８】
図５はＬＥＤランプ１１を取り付けた後の照明装置の側面を示し、図６はその要部を拡大した部分を示している。
【００２９】
図５、図６において、上部フレーム６の内部には夫々のソケット９に対応した数の照明用配線４が収納されて、図２に示すように配置されている。また、下部フレーム７の内部には、既設の取り付けブラケット１８にソケット９が取り付け、固定されている。取り付けブラケット１８は、図示しない固定ボルト、或いは溶接によって下部フレーム７の側壁に取り付けられており、この取り付けブラケット１８にソケット９が取り付けられている。
【００３０】
一対のソケット９には照明用配線４が誘引されており、この一対のソケット９の間にＬＥＤランプ１１が設置されている。尚、この一対のソケット９の間には、既設の蛍光ランプ５が設置されていたものである。ＬＥＤランプ１１のＬＥＤランプ用保持部１５に設けた接続端子１６は、ソケット９の接続端子孔９Ａに挿入され、ＬＥＤランプ１１の各ＬＥＤ素子１３とソケット９の電気的な接続を行なっている。
【００３１】
また、ソケット９は電気的な接続機能の他に、ＬＥＤランプ１１を機械的に保持する保持機能も併せて備えている。したがって、ソケット９が充分な保持力を有していれば、新たにＬＥＤランプ１１を保持するランプホルダのような保持機構を設ける必要はないものである。
【００３２】
そして、一方のソケット９は照明用配線４によって直流電源部の正極側に接続され、他方のソケット９は照明用配線４によって直流電源部の負極側に接続されている。直流電源部は、図１に示す電源部３で商用交流電源部と置き換えられており、商用交流電源を周知のＡＣ/ＤＣ変換器やスイッチングレギュレータ等によって、１２Ｖ或いは２４Ｖの直流に変換している。
【００３３】
図６に、ＬＥＤランプ１１とソケット９の具体的な取り付け構造を示している。ＬＥＤランプ１１の両端部は略同様の構成であり、ＬＥＤランプ１１の両端部にそれぞれ設けたＬＥＤランプ用保持部１５の近傍に、取り付けブラケット１８が固定されている。上述した通り、取り付けブラケット１８にはソケット９が取り付けられている。そして、取り付けブラケット１８の一部にワイヤー１９を係止し、更にこのワイヤー１９をＬＥＤランプ１１のＬＥＤランプ用保持部１５の一部に設けた突起１７に形成した貫通孔２０に挿通することで、ＬＥＤランプ１１のＬＥＤランプ用保持部１５がソケット９から脱落したときに、ＬＥＤランプ１１が落下するのを防いでいる。
【００３４】
尚、ワイヤー１９はＬＥＤランプ１１の突起１７の貫通孔２０に予め挿通して巻き付けておく構成としている。よって、新たにＬＥＤランプ１１を製作するときに、前もってワイヤー１９を突起１７に取り付けておくことができる。したがって、取り付けブラケット１８側を新たに加工したり、新たな取り付けブラケット１８に交換したりする必要がない。
【００３５】
また、取り付けブラケット１８の代わりに、ソケット９とＬＥＤランプ１１の突起１７をワイヤー１９で係止しておくことも可能である。これによっても、ソケット９側を新たに加工したり、新たなソケット９に交換したりする必要がない。
【００３６】
更に、ＬＥＤランプ１１の模擬管１２は、蛍光ランプ５のガラス管とほぼ同じ形状であるため、蛍光ランプ５を保持しているランプホルダが設置されている場合、このランプホルダを流用して使用することができる。
【００３７】
また、ＬＥＤランプ１１のＬＥＤランプ用保持部１５の一部に設けた突起１７は発光方向指示部として機能しており、ＬＥＤランプ１１のＬＥＤ素子１３の発光方向を認識するために利用されている。ＬＥＤ素子１３は平面状の支持基板１４に設けられ、しかもその発光された光は直進する傾向にあるので、発光方向を照明すべき場所に向ける必要がある。
【００３８】
このため、図４にも示しているように、突起１７はＬＥＤ素子１３の発光方向と反対側に向けられている。これによって、突起１７の反対側が発光方向となることを容易に認識することができる。尚、突起１７は、ＬＥＤランプ１１のＬＥＤランプ用保持部１５のどちらか一方、或いは両方に設けてあっても良いものである。ただ、両方のＬＥＤランプ用保持部１５に設ける場合は、互いに方向が合致するように取り付けておくことが必要である。
【００３９】
また、蛍光ランプ５に代えてＬＥＤランプ１１を取り付ける場合、蛍光ランプ５とは異なり、ＬＥＤランプ１１には正極と負極の取り付け極性がある。これを間違えないようにするため、ＬＥＤランプ１１の両端部に設けたＬＥＤランプ用保持部１５には、極性を示す表示指示部２１が予め形成されている。
【００４０】
例えば、一方が正極であれば「＋」形状の表示を行い、他方が負極であれば「−」形状の表示を行えば良いものである。したがって、ＬＥＤランプ１１の取り付け時に、極性を容易に識別して取り付けを行うことができるので、取り付け間違いを防止して、短時間に作業を行うことができる。
【００４１】
この表示指示部２１も、ＬＥＤランプ１１側に設けているため、新たにＬＥＤランプ１１を製作するときに前もって刻印、或いは塗料の塗布を行うことができる。そして、蛍光ランプ５からＬＥＤランプ１１に交換する交換作業に際して、作業者はＬＥＤランプのＬＥＤランプ用保持部１５の突起１７や表示指示部２１の極性を認識して、ＬＥＤランプ１１の取り付け位置、方向を確認しながらＬＥＤランプ１１を交換することができる。したがって、ＬＥＤランプ１１は、既に交換している直流電源部３に対して正しく接続することができるようになる。
【００４２】
このように、ＬＥＤランプ１１の接続端子１６を含むＬＥＤランプ用保持部１５が蛍光ランプ５で使用している蛍光ランプ用口金とほぼ同じ形状であるから、既設のソケット９を流用することができる。このため、蛍光ランプ５を使用していた場合の蛍光ランプ５の交換作業と同じ要領で、ＬＥＤランプ１１をソケット９に取り付けることができる。
【００４３】
また、このソケット９及びソケット９に接続されている照明用配線４は、既設の構成部品であるため、欄干１や移動手摺２などを取り外すことなく、ＬＥＤランプ１１の交換だけで交換作業が完了できるので、ＬＥＤランプ１１への交換作業を短時間に、かつ容易に行うことができる。
【００４４】
尚、図１に示している通り、エスカレーター装置の欄干１の上下端部では緩やかな曲面形状部Ｒとなっており、この曲面形状部Ｒでは、この曲面に沿って形成された蛍光ランプ５Ａが使用されている。本実施形態のＬＥＤランプ１１でもこの曲面に沿った形状のＬＥＤランプ１１Ａを使用することになる。したがって、図７、図８に示したような形状のＬＥＤランプ１１Ａが使用されている。
【００４５】
図７は、図１に示した欄干１の曲面形状部Ｒで使用されている蛍光ランプ５Ａに代えて、同じ曲線状に形成されたＬＥＤランプ１１Ａを取り付けた後の照明装置の側面を示し、図８はその要部を拡大した部分を示している。
【００４６】
図５、図６に示した例と同じように、蛍光ランプ５Ａで使用していたガラス管と同じ形状に製作した模擬管１２Ａ内に、ＬＥＤ素子１３を載置した支持基板１４Ａを設置し、その軸方向の両端部に蛍光ランプ５Ａで使用していた蛍光ランプ用口金と同様の形状を備えたＬＥＤランプ用保持部１５Ａが設けられている。もちろん、このＬＥＤランプ用保持部１５Ａには棒状の接続端子１６Ａが形成されており、既設のソケット９と接続することが可能となっている。このように、曲面形状部Ｒに取り付けられるＬＥＤランプ１１Ａも、蛍光ランプ５Ａと外観意匠はほぼ同じ形状である。
【００４７】
曲面形状部Ｒでも、照明用配線４とこれに接続されたソケット９は既設のものが流用されている。したがって、図７に示すように従来の蛍光ランプ５Ａを使用していた場合の交換作業と同じく、ＬＥＤランプ１１Ａの交換だけで交換作業が完了し、短時間に、かつ容易に交換作業を行うことができる。
【００４８】
尚、図８に示す構成で、突起１７Ａ、取り付けブラケット１８Ａ、ワイヤー１９Ａ、貫通孔２０Ａ、表示指示部２１Ａは、図６と同じ構成部品、構成要素であるので、その説明及び作用、効果については省略する。
【００４９】
また、上述したＬＥＤランプ１１Ａは、ＬＥＤランプ１１Ａと直流電源部とを分割し、かつ、蛍光ランプ５Ａのガラス管とほぼ同じ形状の模擬管１２Ａ内に、ＬＥＤ素子１３を載置した支持基板１４Ａを設置する構成としている。このため、上述したような曲線形状部Ｒに沿った構造に容易に対応させることができる。
【００５０】
上述した実施形態では、エスカレーター装置に既設された照明用配線４とソケット９をそのまま利用することで、照明用配線４とソケット９の取り付け作業を省略しているが、照明用配線４を取り外して、新規の照明用配線とすることも可能である。既設の照明用配線４は長期間に亘って使用されているため、配線自体が傷んでいる恐れがある。したがって、このような場合は照明用配線４を取り外して新規の照明用配線４を用いることがある。この場合、少なくともソケット９だけは既設のものを使用することになるが、この方法であっても、ソケット９の取り付け作業を省略することができる。
【００５１】
次に、蛍光ランプ５、５ＡからＬＥＤランプ１１、１１Ａに交換する交換作業の手順について、図９を用いて説明する。
【００５２】
図９において、手順Ｓ１では、先ず現地における照明ランプの交換作業に先立って、ＬＥＤランプ１１、１１Ａと、ＬＥＤランプ用電源となる１２又は２４Ｖの直流電源部を製作、準備する。このとき、ＬＥＤランプ１１、１１Ａは、図１及び図２に示した蛍光ランプ５、５Ａで使用しているガラス管と同じ形状に製作された、透明または半透明な模擬管１２、１２Ａ内に、支持基板１４、１４Ａを設置し、かつ、その両端部に蛍光ランプ５、５Ａで使用している蛍光ランプ用口金とほぼ同じ形状のＬＥＤランプ用保持部１５、１５Ａを取り付けて製作される。
【００５３】
尚、このＬＥＤランプ１１、１１Ａや直流電源部は、照明ランプを交換する事業者が製作しても良いし、他の事業者が製作しても良いものである。このＬＥＤランプ１１、１１Ａや直流電源部が準備されると、手順Ｓ２に示す作業を実行する。
【００５４】
手順Ｓ２では、図１に示した交流電源部３を取り外し、また、図２に示したカバー１０を取り外すと共に、下部フレーム７内の各蛍光ランプ５、５Ａを取り外してＬＥＤランプ１１、１１Ａを取り付けられる環境にする。この蛍光ランプ５、５Ａの取り外しが終了すると、手順Ｓ３に示す作業を実行する。
【００５５】
手順Ｓ３では、図１に示した交流電源部３とほぼ同じ場所にＬＥＤランプ用電源となる直流電源部を設置し、交換されたＬＥＤランプ用電源部に既設の照明用配線４の一端を接続する。尚、照明用配線４を交換する場合は、この手順３で上部フレーム６内に新しい照明用配線４を設置する。この後、手順Ｓ４に示す作業を実行する。
【００５６】
手順Ｓ４では、照明用配線４の他端に接続された既設のソケット９を利用して、各蛍光ランプ５、５Ａに代えて、新たなＬＥＤランプ１１、１１Ａを取り付ける。この後、手順Ｓ５に示す作業を実行する。
【００５７】
手順５では、全てのＬＥＤランプ１１、１１Ａの交換が完了したかどうかを確認する。全てのＬＥＤランプ１１、１１Ａが交換されていない場合は、この手順４の作業を継続する。全てのＬＥＤランプ１１、１１Ａの交換が完了すると、手順Ｓ６に示す作業を実行する。
【００５８】
手順６では、図６、図８にあるように、取り付けブラケット１８とＬＥＤランプ１１、１１Ａに設けた突起１７、１７Ａをワイヤー１９、１９Ａで係止するといった、附帯作業を実行する。附帯作業が終了すると、カバー１０を下部フレーム７に取り付けてＬＥＤランプ１１、１１Ａの交換作業が終了するものである。
【００５９】
このように、本実施形態では、蛍光ランプ５、５Ａの電力供給系統の構成部品のうち、ＬＥＤランプ１１、１１Ａでは使用しないので取り外して良い構成部品と、ＬＥＤランプ１１、１１Ａにも流用できるので再利用する構成部品とに区分するという観点から、ソケット９と照明用配線４を再利用するようにしている。尚、照明用配線４を交換する場合もあるので、この場合は少なくともソケット９については再利用することができる。
【００６０】
本実施形態では、ＬＥＤランプ１１、１１Ａを既設のソケット９に接続できるように、ＬＥＤランプ１１、１１ＡのＬＥＤランプ用保持部１５、１５Ａの形状を蛍光ランプ５、５Ａの蛍光ランプ用口金とほぼ同じ形状に形成し、かつＬＥＤランプ１１、１１Ａの両端に設けたＬＥＤランプ用保持部１５、１５Ａの間の長さを、蛍光ランプ５、５Ａの両端に設けた蛍光ランプ用口金の間の長さとほぼ同じ長さとしている。
【００６１】
ＬＥＤランプ１１、１１ＡのＬＥＤランプ用保持部１５、１５Ａの形状を蛍光ランプ５、５Ａの蛍光ランプ用口金の形状とほぼ同じ形状に形成したので、既設のソケット９を流用することでソケット９の交換作業等が省略することができる。もちろん、既設の照明用配線４を再利用する場合は、これの交換作業も省略することができる。これによって、電力供給系統の部品の互換性をできるだけ高めて照明ランプを交換する作業を短時間に、かつ容易に行うことができるようになる。
【実施例２】
【００６２】
次に本発明の第２の実施形態について説明する。本実施形態はＬＥＤランプ１１のＬＥＤランプ用保持部１５に設けた接続端子１６を使用しないで、ＬＥＤ素子１３に電力供給を行う点で実施例１と異なっている。尚、ＬＥＤランプ用保持部１５の接続端子１６がＬＥＤランプ１１をソケット９に保持する点は共通である。
【００６３】
図１０、図１１において、ＬＥＤランプ１１の外観形状は実施例１と同様であるので、その具体的な形状の説明は省略する。
【００６４】
そして、本実施形態では、ＬＥＤランプ１１の両端に設けたＬＥＤランプ用保持部１５の一部に正極照明用配線４Ｐ、負極照明用配線４Ｎを引き出す配線取り出し口２２が形成されている。ここで、ＬＥＤランプ用保持部１５の材質は、合成樹脂で作っても良いし、金属で作っても良いものである。正極照明用配線４Ｐ、負極照明用配線４Ｎの一端は、ＬＥＤランプ１１の支持基板１４側に誘引されてＬＥＤ素子１３に接続されている。正極照明用配線４Ｐは各ＬＥＤ素子１３の正極側に接続され、負極照明用配線４Ｎは各ＬＥＤ素子１３の負極側に接続されている。また、正極照明用配線４Ｐは直流電源の正極に接続され、負極照明用配線４Ｎは直流電源の負極に接続されるものである。
【００６５】
ここで、ＬＥＤランプ１１のＬＥＤランプ用保持部１５に設けた接続端子１６は、実施例１と同様に既設のソケット９に挿入されて接続されるが、上述した通り、正極照明用配線４Ｐ、負極照明用配線４Ｎが配線引き出し口２２から引き出されている。このため、ＬＥＤランプ用保持部１５に設けた接続端子１６は、電気的な接続機能はなく、ソケット９との機械的な連結を行ってＬＥＤランプ１１をソケット９によって保持しておく機能を備えているものである。これによって、蛍光ランプ５をＬＥＤランプ１１に置き換えることができる。このように、既設のソケット９を流用してＬＥＤランプ１１の保持を行うことで、電力供給系統の部品の互換性を高めてＬＥＤランプへの交換作業を容易に行うことができるようになる。
【００６６】
一方、正極照明用配線４Ｐ、負極照明用配線４Ｎの他端にはカプラ２３が接続されており、このカプラ２３は、隣接するＬＥＤランプ１１のカプラ２３に相互に差し込まれて接続される構成となっている。したがって、本実施形態では既設の照明用配線４は使用されず、カプラ２３によって接続された新しい正極照明用配線４Ｐ、負極照明用配線４Ｎが既設の照明用配線４の代わりとなる。カプラ２３には、接続される極性を表示するため「＋」、「−」が刻印されている。
【００６７】
既設の照明用配線４が傷んで交換したい場合は、新たに照明用配線４を上部フレーム６内に取り付ける必要があるが、本実施形態では、このカプラ２３を使用して隣接するＬＥＤランプ１１のカプラ２３と接続することで、新たな照明用配線とすることができる。このため、ＬＥＤランプ１１の交換と同時に照明用配線を新しいものとすることができる。この場合も既設の照明用配線４を取り換えないので、照明ランプを交換する交換作業を短時間に容易に行うことができるようになる。
【００６８】
本実施形態においても、作業手順は図９に示す場合とほぼ同じであるが、手順３と手順４で、ＬＥＤランプ１１の交換作業と同時に、配線引き出し口２２から引き出された正極照明用配線４Ｐ及び負極照明用配線Ｎを、隣接する他のＬＥＤランプ１１の正極照明用配線４Ｐ及び負極照明用配線４Ｎと接続するように、隣り合うカプラ２３を接続する作業を行えば良いものである。この場合、直流電源部に最も近いＬＥＤランプ１１の正極照明用配線４Ｐ及び負極照明用配線４Ｎが直流電源部に接続されるものである。そして、直流電源部に正極照明用配線４Ｐ及び負極照明用配線４Ｎの接続が完了すれば交換作業が終了するものである。
【００６９】
本実施形態によっても、ＬＥＤランプ１１、１１ＡのＬＥＤランプ用保持部１５、１５Ａの形状を蛍光ランプ５、５Ａの蛍光ランプ用口金の形状とほぼ同じ形状に形成したので、既設のソケット９を流用することでソケットの交換作業等を省略することができる。また、既設の照明用配線４を取り換えないで、ＬＥＤランプ１１の交換と同時に照明用配線を新しいものとすることができる
以上説明したように、本発明においては、ＬＥＤランプの両端に既設のソケットで保持できるＬＥＤランプ用保持部を設け、蛍光ランプの蛍光ランプ用口金が接続されていたソケットにＬＥＤランプのＬＥＤランプ用保持部を接続してＬＥＤランプに交換することができる。これによって、既設のソケットを流用することでソケットの交換作業等を省略することができる。したがって、照明ランプを交換する作業を短時間に、かつ容易に行うことができるようになる。
【００７０】
尚、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。
【符号の説明】
【００７１】
４…照明用配線、５…蛍光ランプ、６…上部フレーム、７…下部フレーム、９…ソケット、９Ａ…端子接続孔、１０…カバー、１１…ＬＥＤランプ、１２…模擬管、１３…ＬＥＤ素子、１４…支持基板、１５…ＬＥＤランプ用保持部、１６…接続端子、１７…突起、１８…取り付けブラケット、１９…ワイヤー、２０…貫通孔、２１…表示指示部。
【図１】
0006480855.tif 000002
【図２】
0006480855.tif 000003
【図３】
0006480855.tif 000004
【図４】
0006480855.tif 000005
【図５】
0006480855.tif 000006
【図６】
0006480855.tif 000007
【図７】
0006480855.tif 000008
【図８】
0006480855.tif 000009
【図９】
0006480855.tif 000010
【図１０】
0006480855.tif 000011
【図１１】
0006480855.tif 000012